(57)【特許請求の範囲】
【請求項１】
多心光ファイバ（１３）を複数本の単心光ファイバ（１１）に分岐する光ファイバ接続器付きの多心単心変換用光ファイバ（１０）であって、
一端部の被覆を除去して口出し心線部（２３）を設けた複数本の単心光ファイバと、これら単心光ファイバの前記口出し心線部を多心光ファイバを構成する複数本の光ファイバ（１４）の配列に対応したピッチで並列させて集合固定する集合固定部（５０）と、該集合固定部から突出した各単心光ファイバの突き合わせ端部（１２）が固定され、該突き合わせ端部と多心光ファイバの光ファイバとを突き合わせ接続する光ファイバ接続器（１５）とを具備してなり、
前記光ファイバ接続器は、ベース（１６）と、該ベース上面（１７）上に装着されることにより単心光ファイバに突き合わせ接続した多心光ファイバをベースとの間にクランプして突き合わせ状態を保持する押さえ蓋（１８）と、ベースと押さえ蓋とにクランプ力を付与および解除するクランプ手段（１９）と、ベースと押さえ蓋との間において単心光ファイバの突き合わせ端部および多心光ファイバを突き合わせ接続可能に位置決め調心する調心機構（２１）とを具備し、
前記集合固定部の一端は前記ベース上面の長手方向一端部に形成された集合固定部収納溝（５０ａ）に収納されており、前記集合固定部の他端と前記単心光ファイバ（１１）の被覆部分（１１ａ）との間に前記口出し心線部（２３）が露出されており、
集合固定部および該集合固定部近傍の単心光ファイバを弾性体保護具（５１）で被覆して、単心光ファイバの前記口出し心線部の湾曲半径を維持するようにするとともに、弾性体保護具の軸方向一端は光ファイバ接続器の前記ベース及び押さえ蓋の長手方向端部の外周面に固定し、かつ前記弾性体保護具の他端は複数本の単心光ファイバの被覆部分（１１ａ）を並行に配列させて集束し、前記口出し心線部と前記弾性体保護具の内面との間に空間を確保したことを特徴とする光ファイバ接続器付きの多心単心変換用光ファイバ。
【請求項２】
請求項１記載の光ファイバ接続器付きの多心単心変換用光ファイバにおいて、多心光ファイバ側の光ファイバ心線（２５）と単心光ファイバ側の前記口出し心線部（２３）とが、２５０μｍ以上の同一の径寸法を有することを特徴とする光ファイバ接続器付きの多心単心変換用光ファイバ。
【発明の詳細な説明】
【０００１】
【発明の属する技術分野】
本発明は、多心光ファイバを複数本の単心光ファイバに分岐する光ファイバ接続器付きの多心単心変換用光ファイバに関するものである。
【０００２】
【従来の技術】
従来、多心光ファイバを複数本の単心光ファイバに分岐する多心単心変換用光ファイバとしては、例えば図８に示すように、４心または８心の光ファイバテープ心線１の一端を光コネクタ２を取り付けて他の光ファイバテープ心線３と光接続可能に成端し、光ファイバテープ心線１の途中から単心光ファイバ心線５に切り裂いて補強した分岐部４を介して複数本の単心の光ファイバ心線５に単心分岐し、さらに、光ファイバ心線５の端末は、単心用の光コネクタ６を取り付けて他の光ファイバ心線と光接続可能に成端している。また、光ファイバ心線５は、光ファイバテープ心線１から分岐した線なので、光ファイバテープ心線１の被覆を除去すれば径が２５０μｍ以下になることが普通であるので、補強チューブに挿入して補強する。
【０００３】
【発明が解決しようとする課題】
ところで、架空クロージャの光ファイバ接続作業では、光ファイバケーブルからテープ心線を取り出し、このテープ心線を単心へ変換する作業が必要な場合が多く生じている。この場合には、予め工場内で製造した、両端にＭＴ（Mechanically  Tranferable）コネクタ付きの多心単心変換用光ファイバを準備し、前記テープ心線の端部に多心単心変換用光ファイバの多心側のＭＴコネクタを現場接続する必要がある。多心単心変換用の光ファイバテープ心線１を接続切替可能に成端する場合にはＭＴコネクタを取り付ける必要があるが、ＭＴコネクタの接続端面は高い精度が要求され、研磨装置等の接続用の各種工具が必要であるため、現場での組み立ては作業工数が多く、作業が困難な場合もあった。
【０００４】
本発明は、前述の課題に鑑みてなされたもので、光ファイバケーブルから引き出された多心光ファイバへのＭＴコネクタの接続作業が無く、組み立てが容易で、しかも接続切替を簡便に行うことができ、現場の接続工事に際して汎用性が向上し、多心光ファイバとの接続が容易な光ファイバ接続器付きの多心単心変換用光ファイバを提供することを目的とするものである。
【０００５】
【課題を解決するための手段】
請求項１記載の光ファイバ接続器付きの多心単心変換用光ファイバでは、一端部の被覆を除去して口出し心線部を設けた複数本の単心光ファイバと、これら単心光ファイバの前記口出し心線部を多心光ファイバを構成する複数本の光ファイバの配列に対応したピッチで並列させて集合固定する集合固定部と、該集合固定部から突出した各単心光ファイバの突き合わせ端部が固定され、該突き合わせ端部と多心光ファイバの光ファイバとを突き合わせ接続する光ファイバ接続器とを具備してなり、前記光ファイバ接続器は、ベースと、該ベース上面上に装着されることにより単心光ファイバに突き合わせ接続した多心光ファイバをベースとの間にクランプして突き合わせ状態を保持する押さえ蓋と、ベースと押さえ蓋とにクランプ力を付与および解除するクランプ手段と、ベースと押さえ蓋との間において単心光ファイバの突き合わせ端部および多心光ファイバを突き合わせ接続可能に位置決め調心する調心機構とを具備し、前記集合固定部の一端は前記ベース上面の長手方向一端部に形成された集合固定部収納溝に収納されており、前記集合固定部の他端と前記単心光ファイバの被覆部分との間に前記口出し心線部が露出されており、集合固定部および該集合固定部近傍の単心光ファイバを弾性体保護具で被覆して、単心光ファイバの前記口出し心線部の湾曲半径を維持するようにするとともに、弾性体保護具の軸方向一端は光ファイバ接続器の前記ベース及び押さえ蓋の長手方向端部の外周面に固定し、かつ前記弾性体保護具の他端は複数本の単心光ファイバの被覆部分を並行に配列させて集束し、前記口出し心線部と前記弾性体保護具の内面との間に空間を確保したことを前記課題の解決手段とした。
【０００６】
請求項２記載の光ファイバ接続器付きの多心単心変換用光ファイバでは、請求項１記載の光ファイバ接続器付きの多心単心変換用光ファイバにおいて、多心光ファイバ側の光ファイバ心線と単心光ファイバの口出し心線部とが、２５０μｍ以上の同一の径寸法を有することを前記課題の解決手段とした。
【０００８】
【発明の実施の形態】
以下本発明の光ファイバ接続器付きの多心単心変換用光ファイバの実施の形態を図１から図７を参照して説明する。
図中符号１０は、本実施の形態の光ファイバ接続器付きの多心単心変換用光ファイバ（以下、多心単心変換用光ファイバ）である。多心単心変換用光ファイバ１０は、図１から図３に示すように、４本の単心光ファイバ心線１１（単心光ファイバ）と、これら単心光ファイバ心線１１の一端部から口出しして露出させた口出し心線部２３を集合固定する集合固定部５０と、該集合固定部５０から突出する口出し心線部２３の先端から口出しして露出させた裸ファイバ１２（突き合わせ端部）に、４心の光ファイバテープ心線１３（多心光ファイバ）から導出した裸ファイバ１４（光ファイバ）を突き合わせ接続する光ファイバ接続器１５とを具備している。
【０００９】
前記光ファイバ接続器１５は、ベース１６と、該ベース１６の上面１７（図３参照）上に装着されることにより、突き合わせ接続した単心光ファイバ心線１１と光ファイバテープ心線１３とをベース１６との間にクランプして突き合わせ状態を保持する押さえ蓋１８と、ベース１６と押さえ蓋１８とにクランプ力を付与、解除するクランプ手段としてのＣ型バネ１９とを備えている。
【００１０】
ベース１６と押さえ蓋１８とは、互いに重ね合わせることにより二つ割り円柱体を構成する、ともに断面半円形のロッド状の部材である。
図３および図４に示すように、ベース上面１７の長手方向（図３、図４左右方向）中央部には、単心光ファイバ心線１１と光ファイバテープ心線１３の双方の裸ファイバ１２、１４同士を位置決め調心して突き合わせ接続するための調心ピース２０が装着されている。調心ピース２０の上面上には、ベース上面１７の長手方向に沿って貫通するＶ溝である位置決め溝２１が４本並列に形成されている。これら位置決め溝２１は、ベース１６と押さえ蓋１８との間において光ファイバテープ心線１３を単心光ファイバ心線１１に対して突き合わせ接続可能に調心位置決めする調心機構として機能するものである。
【００１１】
ベース上面１７の長手方向一端部（図３、図４左側）には、集合固定部５０の端末を収納する集合固定部収納溝５０ａおよび集合固定部５０から突出した各単心光ファイバ１１の口出し心線部２３を並列させて収納する収納するＶ溝である心線収納溝２４が複数本並列に形成されている。ベース上面１７の長手方向他端部には、光ファイバテープ心線１３の被覆部分１３ａを収納するテープ心線収納溝２６および光ファイバテープ心線１３の端部を口出しして露出させた単心線部２５を収納するＶ溝の心線収納溝２４が複数本並列に形成されている。単心線部２５は、各裸ファイバ１４を被覆材で被覆してなる単心の心線部である。裸ファイバ１４は、単心線部２５の先端の被覆を除去した部分である。
口出し心線部２３と単心線部２５とは、ともに２５０μｍに揃えられている。ベース上面１７の長手方向両端の心線収納溝２４は、同一形状、同一ピッチで形成されている。また、調心ピース２０の位置決め溝２１は、これら心線収納溝２４より浅く、精密に形成されている。位置決め溝２１と該位置決め溝２１に対応するベース上面１７両端の心線収納溝２４の調心軸線は、同一直線上になっている。したがって、各心線収納溝２４から挿入した裸ファイバ１２、１４は、調心ピース２０中央部方向に押し込むことにより、自然に位置決め溝２１に進入するようになっている。
【００１２】
押さえ蓋１８は、図３に示すように、ベース上面１７の一端部に装着される単心線クランプ板２７と、ベース上面１７の他端部に装着されるテープクランプ板２８の２部材から構成されている。単心線クランプ板２７およびテープクランプ板２８の、心線収納溝２４と対向する部分には、単心光ファイバ心線１１の口出し心線部２３を収納、クランプするための心線収納溝２９が形成されている。単心線クランプ板２７およびテープクランプ板２８の、集合固定部収納溝５０ａまたはテープ心線収納溝２６と対向する部分には、集合固定部５０または光ファイバテープ心線１３の被覆部分１３ａを収納する集合固定部収納溝５０ｂまたはテープ心線収納溝３０が形成されている。
単心線クランプ板２７の中央部には、ベース１６と単心線クランプ板２７との間に接着剤３１（図４参照）を注入するための接着剤注入孔３２が形成されている。
単心線クランプ板２７およびテープクランプ板２８の、心線収納溝２９やテープ心線収納溝３０、接着剤注入孔３２、集合固定部収納溝５０ｂ以外の部分は、位置決め溝２１や心線収納溝２４に配置した裸ファイバ１２、１４や単心線部２５をこれら位置決め溝２１や心線収納溝２４の深部に向けて押圧する押圧面を形成している。
【００１３】
Ｃ型バネ１９は、図１に示すように、互いに重ね合わせたベース１６と押さえ蓋１８の外側に装着されて、これらベース１６および押さえ蓋１８を互いに圧接する方向に締め付けて一体化状態を保持するようになっている。また、Ｃ型バネ１９の側面に開口する開口部３３は、互いに重ね合わされたベース１６と押さえ蓋１８との境界に一致されている。開口部３３の長手方向二カ所には、Ｃ型バネ１９の周方向に沿って延在するスリット３４が形成されている。これらスリット３４は、Ｃ型バネ１９の直径方向で開口部３３と反対側に位置する図示しない連結部のみを残してＣ型バネ１９の周方向のほぼ全周にわたって開口され、Ｃ型バネ１９をその長手方向に三分割して、それぞれ単独で変形可能な３つの領域１９ａ、１９ｂ、１９ｃに画成している。
【００１４】
開口部３３の長手方向４箇所には、開口部３３を拡張した開口部材挿入口３５が形成されている。各開口部材挿入口３５は、図５に示すように、外側から開口部材３６を挿入して、ベース１６と押さえ蓋１８との間に作用する光ファイバ１１、１３のクランプ力を解除するためのものである。開口部材挿入口３５は、Ｃ型バネ１９のスリット３４で画成された第１から第３の三つの領域１９ａ、１９ｂ、１９ｃに分散配置され、長手方向両端部に位置する第１、第３の領域１９ａ、１９ｃにそれぞれ１カ所、中央部に位置する第２の領域１９ｂに２カ所形成されている。
【００１５】
Ｃ型バネ１９は、ベリリウム銅等の材料で形成されている。ベリリウム銅の場合、目的形状に成形後時効硬化処理を行ったものや、熱処理後フッ素樹脂等でコーティングしたもの等であってもよい。
Ｃ型バネ１９の、内装したベース１６および押さえ蓋１８を互いに圧接する方向に押圧する押圧力は、Ｃ型バネ１９の材質および形状によって設定される。
すなわち、例えば、図６に示すように、概略Ｕ字状の薄板バネＳの場合、両端間に作用する荷重をＰ、湾曲半径をＲ、バネの板厚をｔ、バネの長さをｂとすると、両端間のたわみδは数式（１）によって示される。
【００１６】
【数１】
0003773978.tif 000002
【００１７】
ここで、λ1＝Ｌ1／Ｒ、λ2＝Ｌ2／Ｒである。
また、前記薄板バネＳの曲げ応力σは、数式（２）によって示される。
【００１８】
【数２】
0003773978.tif 000003
【００１９】
薄板バネＳを図７に示すＣ型バネ１９に適用すると、Ｌ1＝０、Ｌ2＝０であり、Ｃ型バネ１９のたわみδ、曲げ応力σは、それぞれ数式（３）、数式（４）によって示される。
【００２０】
【数３】
0003773978.tif 000004
【００２１】
【数４】
0003773978.tif 000005
【００２２】
ここで、Ｃ型バネ１９の材質として、例えばＪＩＳ  Ｃ１７２０Ｈ／２のバネ材を用いた場合、耐力（最大曲げ応力）σ≧９０ｋｇ／ｍｍ2、曲げ弾性係数Ｅ＝１２００ｋｇ／ｍｍ2である。また、Ｃ型バネ１９の寸法を、内径ｄ＝４．５ｍｍ、板厚ｔ＝０．２３ｍｍ、軸方向長さｂ＝９ｍｍとした場合、Ｃ型バネ１９の直径方向に作用する荷重がＰ＝３．０２ｋｇ（但し、最大値＠ｂ＝９ｍｍ）、たわみがδ＝０．５７３ｍｍ（最大値）となる。
【００２３】
各単心光ファイバ心線１１は、図１および図３に示すように、ナイロン等で樹脂被覆されてφ０．５〜０．９ｍｍの外径を有している。口出し心線部２３は、２５０μｍ以上（好ましくは０．６ｍｍ）の径寸法に形成されており、コード補強が不要な強度を有している。
集合固定部５０は、４本の口出し心線部２３を樹脂等で固定してテープ化した部分であって、４本の口出し心線部２３を光ファイバテープ心線１３の単心線部２５と同等のピッチで一平面に沿って並列している。集合固定部５０から突出する口出し心線部２３の先端に露出する裸ファイバ１２は、図３および図４に示すように、位置決め溝２１の長手方向中央部まで挿入して位置決め調心した状態で、ベース１６と単心線クランプ板２７とに接着剤３１で一体的に接着されている。接着剤３１は、裸ファイバ１２の先端には付着されない。また、各単心光ファイバ心線１１の裸ファイバ１２は、心線収納溝２４、２９の内部に設置した図示しない位置決め手段によって、裸ファイバ１２の先端位置がベース上面１７の長手方向で揃えられている。
【００２４】
集合固定部５０および口出し心線部２３は、ゴム等でチューブ状に形成された弾性体保護具５１に内挿保護されている。弾性体保護具５１の軸方向一端は光ファイバ接続器１５の長手方向端部に固定され、他端は複数本の単心光ファイバ心線１１のナイロン被覆部分１１ａを並行に配列させて集束している。弾性体保護具５１は、各単心光ファイバ心線１１の口出し心線部２３およびこれらの集合固定部５０を収納して保護するとともに、光ファイバ接続器１５の端部から単心光ファイバ心線１１のナイロン被覆部分１１ａ間の口出し心線部２３の湾曲半径を曲げ力に対して規定以上に維持するようになっている。
【００２５】
以下、本発明の多心単心変換用光ファイバ１０の作用および効果を説明する。多心単心変換用光ファイバ１０は、光ファイバ接続器１５の挿入端部（図１から図３中右側）から光ファイバテープ心線１３をテープ心線収納溝２６、３０から挿入して奥側に押し込むだけで、複数本の単心光ファイバ心線１１に変換することができるようになっている。
【００２６】
すなわち、テープ心線収納溝２６、３０に挿入した光ファイバテープ心線１３は、予め端部に露出させておいた裸ファイバ１４が心線収納溝２４を介して位置決め溝２１に導かれて、調心ピース２０の中央部においてそれぞれ単心光ファイバ心線１１の裸ファイバ１２と突き合わせ接続される。この時、光ファイバテープ心線１３の裸ファイバ１４は、互いの先端位置を揃えておく。こうすることにより、光ファイバテープ心線１３をテープ心線収納溝２６、３０からその奥側に押し込むだけで、すべての裸ファイバ１４が単心光ファイバ心線１１の裸ファイバ１２と同時に突き合わされ、しかも、突き合わせ時に裸ファイバ１４間での突き合わせ力のばらつきを防止することができる。
光ファイバテープ心線１３の被覆部分１３ａは、テープ心線収納溝２６、３０内に収納されて、ベース１６と押さえ蓋１８との間にクランプされた時に、光ファイバテープ心線１３に作用する引張力等に対する十分な引き留め力を発揮するようになっている。
【００２７】
光ファイバテープ心線１３のテープ心線収納溝２６、３０への挿入時には、図５に示すように、挿入端部側にある第３の領域１９ｃと、第２の領域１９ｂの第３の領域１９ｃ側とにある開口部材挿入口３５に開口部材３６を挿入してＣ型バネ１９によるクランプ力を予め解除しておく。この時、ベース１６とテープクランプ板２８との間のクランプ力が解除されてテープ心線収納溝２６、３０への光ファイバテープ心線１３の挿入が可能となるが、ベース１６と単心線クランプ板２７との間は接着剤３１によって固定状態が維持される。
【００２８】
光ファイバテープ心線１３と単心光ファイバ心線１１との突き合わせ接続が完了したら、開口部材３６を引き抜く。こうすることにより、Ｃ型バネ１９によるクランプ力が付与されて、ベース１６とテープクランプ板２８との間に光ファイバテープ心線１３がクランプされる。この時、単心光ファイバ心線１１と光ファイバテープ心線１３の双方の裸ファイバ１２、１４の突き合わせ部分もベース１６とテープクランプ板２８とによってクランプされるので、突き合わせ状態が安定に保持される。
また、Ｃ型バネ１９のクランプ力を再度解除することにより、クランプした光ファイバテープ心線１３が光ファイバ接続器１５から引き抜き可能になるので、接続切替を簡便に行うことができる。
【００２９】
多心単心変換用光ファイバ１０を組み立てるには、まず集合固定部５０を形成して各単心光ファイバ心線１１のナイロン被覆を口出しして露出させた口出し心線部２３を集合固定してテープ化するとともに、さらに口出し心線部２３の集合固定部５０から突出する先端に露出させた裸ファイバ１２を位置決め溝２１に位置決めして各単心光ファイバ心線１１をベース１６と押さえ蓋１８との間に挟み込み、接着剤注入孔３２を介して接着剤３１を注入した後、一体化したベース１６および押さえ蓋１８をＣ型バネ１９に内挿して接着剤３１を固化させるとともに、弾性保護具５１を装着する。
完成した多心単心変換用光ファイバ１０は、現場に搬入してテープ心線収納溝２６、３０から光ファイバテープ心線１３の裸ファイバ１４を光ファイバ接続器１５内に挿入するだけで、光ファイバテープ心線１３と単心光ファイバ心線１１とを一括して光接続することができる。したがって、多心単心変換用光ファイバ１０は、現場において容易かつ高精度に光ファイバテープ心線１３と単心光ファイバ心線１１とを光接続することができる。
【００３０】
なお、光ファイバ接続器１５のクランプ力が十分であれば、単心光ファイバ心線１１の接着固定を省略することもできる。また、単心光ファイバ心線１１の図示しない反対側の端部（光ファイバ接続器１５から放射状に延びる端部）は、単心用ＭＴコネクタで他の単心光ファイバと接続可能に成端してもよい。
【００３１】
したがって、本発明の多心単心変換用光ファイバ１０によれば、屋外での組み立てや単心光ファイバ心線１１と光ファイバテープ心線１３との光接続作業を容易に行うことができ、しかも、光ファイバ接続器１５に光ファイバテープ心線１３を挿入するだけで光ファイバテープ心線１３を単心光ファイバ心線１１と簡単に接続することができるので、作業現場での光ファイバテープ心線１３の単心変換を簡便に行うことができる。その結果、例えば、架空光ファイバケーブルのクロージャ等での高所作業においても、高い作業能率を確保することができる。また、突き合わせ接続した光ファイバテープ心線１３と単心光ファイバ心線１１とを光ファイバ接続器１５でクランプする構造なので、従来のＭＴコネクタで成端する場合に比べて部品点数が少なくて済み、組み立ての工数を少なくでき、しかも裸ファイバ１２、１４の調心精度が簡単に得られるとともに、コストを低減することができる。
【００３２】
特に、前記多心単心変換用光ファイバ１０は、光ファイバテープ心線１３の単心線部２５と径寸法の等しい単心光ファイバ心線１１の口出し心線部２３を、集合固定部５０によって前記単心線部２５と同等のピッチで配列させて、光ファイバ接続器１５内に固定するので、光ファイバ接続器１５の構造を単純にすることができ、低コスト化が容易である。また、裸ファイバ１２、１４の調心位置決めや、各裸ファイバ１２、１４の先端位置揃え等が容易になり、しかも、双方の裸ファイバ１２、１４の接続精度を向上することができる。
【００３３】
さらに、前記多心単心変換用光ファイバ１０によれば、集合固定部５０および該集合固定部５０近傍の口出し心線部２３を弾性体保護具５１で保護して、単心光ファイバ心線１１の一端部全体の湾曲半径を曲げ力に対して規定以上に維持するようにしたので、口出し心線部２３をコード化すること無く簡便に保護することができるとともに、単心光ファイバ心線１１の光伝送性能を常時安定に維持することができる。
【００３４】
加えて、前記多心単心変換用光ファイバ１０では、光ファイバ接続器１５に複数本の単心光ファイバ心線１１をテープ化して固定するようにしたので、従来の光ファイバテープ心線から分岐した光ファイバ心線に比して太径の光ファイバ心線を使用することが可能となり、２５０μｍ以上の径の単心光ファイバ心線１１を使用することによりコード化を不要としたので、多心単心変換用光ファイバ１０の組み立て工数を一層減少することができる。
【００３５】
なお、多心光ファイバとしては、光ファイバテープ心線以外であってもよい。調心機構としては、マイクロキャピラリーが設置されたＶ溝またはＶ溝以外の位置決め溝や、精密ロッド、精密ボールを用いた調心構造の適用も可能である。
【００３６】
【発明の効果】
以上説明したように、本発明の光ファイバ接続器付きの多心単心変換用光ファイバによれば、複数本の単心光ファイバと、これら単心光ファイバの一端部を多心光ファイバを構成する複数本の光ファイバの配列に対応したピッチで並列させて集合固定する集合固定部と、該集合固定部から突出した各単心光ファイバの突き合わせ端部が固定され、該突き合わせ端部と多心光ファイバの光ファイバとを突き合わせ接続する光ファイバ接続器とを具備してなり、前記光ファイバ接続器は、ベースと、該ベース上面上に装着されることにより単心光ファイバに突き合わせ接続した多心光ファイバをベースとの間にクランプして突き合わせ状態を保持する押さえ蓋と、ベースと押さえ蓋とにクランプ力を付与および解除するクランプ手段と、ベースと押さえ蓋との間において単心光ファイバの突き合わせ端部および多心光ファイバを突き合わせ接続可能に位置決め調心する調心機構とを具備し、互いに等しいピッチで配列した多心光ファイバの光ファイバと単心光ファイバとを光ファイバ接続器で接続するようにしたので、光ファイバ接続器の構造が単純になって低コスト化が容易になるとともに、単心光ファイバと多心光ファイバの光ファイバとの接続精度を向上することができるといった優れた効果を奏する。
さらに、集合固定部および該集合固定部近傍の単心光ファイバを弾性体保護具で被覆して、単心光ファイバの口出し心線部の湾曲半径を維持するようにしたので、集合固定部および該集合固定部近傍の単心光ファイバをコード化すること無く簡便に保護することができるとともに、単心光ファイバの光伝送性能を安定に維持することができるといった優れた効果を奏する。
【００３７】
請求項２記載の光ファイバ接続器付きの多心単心変換用光ファイバでは、請求項１記載の光ファイバ接続器付きの多心単心変換用光ファイバにおいて、多心光ファイバ側の光ファイバ心線と単心光ファイバの口出し心線部とが、２５０μｍ以上の同一の径寸法を有するので、光ファイバ接続器の構造を一層単純化することができ、低コスト化や接続精度一層向上する。
【図面の簡単な説明】
【図１】  本発明の光ファイバ接続器付きの多心単心変換用光ファイバの実施の形態を示す斜視図である。
【図２】  本発明の光ファイバ接続器付きの多心単心変換用光ファイバの実施の形態の作用を示す全体略図である。
【図３】  本発明の光ファイバ接続器付きの多心単心変換用光ファイバの実施の形態を示す正断面図である。
【図４】  本発明の光ファイバ接続器付きの多心単心変換用光ファイバの実施の形態を示す図であって、ベースを示す平面図である。
【図５】  本発明の光ファイバ接続器付きの多心単心変換用光ファイバの実施の形態の作用を示す斜視図である。
【図６】  薄板バネにおける荷重に対するたわみおよび曲げ応力を示すモデル図である。
【図７】  本発明の光ファイバ接続器の実施の形態を示す図であって、Ｃ型バネにおける荷重に対するたわみおよび曲げ応力を示すモデル図である。
【図８】  従来例の光ファイバ接続器付きの多心単心変換用光ファイバを示す全体略図である。
【符号の説明】
１０…光ファイバ接続器付きの多心単心変換用光ファイバ、１１…単心光ファイバ（単心光ファイバ心線）、１２…突き合わせ端部（裸ファイバ）、１３…多心光ファイバ（光ファイバテープ心線）、１４…光ファイバ（裸ファイバ）、１５…光ファイバ接続器、１６…ベース、１７…ベース上面、１８…押さえ蓋、１９…クランプ手段（Ｃ型バネ）、２１…調心機構（位置決め溝）、２３…光ファイバ心線（口出し心線部）、２５…光ファイバ心線（単心線部）、５０…集合固定部、５１…弾性体保護具。
【図１】
0003773978.tif 000006
【図２】
0003773978.tif 000007
【図３】
0003773978.tif 000008
【図４】
0003773978.tif 000009
【図５】
0003773978.tif 000010
【図６】
0003773978.tif 000011
【図７】
0003773978.tif 000012
【図８】
0003773978.tif 000013